(57)【要約】【課題】水平に仕掛けられた捕獲用容器の中に動物を餌で誘引し、重力を利用して回転して垂直に起立させ、その中に動物を捕獲することで、動物の動きによる危険性がなく捕獲可能とする。【解決手段】捕獲用容器１の大きさを捕獲目的によって形成して、その容器の左右側面に水平軸３ａを設けて地面に置かれた台板７又は地上に起立させた支柱４ａ上に回転可能に軸支して、その左右水平軸を中心に動物と容器の重力で回転させるようにすることで、水平に仕掛けられた捕獲用容器１の中に置いた餌で動物を誘引して重力により動物を生きたまま捕獲する動物捕獲器。この捕獲用容器１を地面に掘られた穴６の周りに設置し、餌を中に置いて動物を誘引すると前方に重力が架り回転して、穴６の中に垂直に起立して危険性がなく動物を捕獲する。【選択図】図１
2006197839.tif 000002
【特許請求の範囲】
【請求項１】
動物を捕獲しようとする目的に応じた大きさに形成した筒体叉は箱体の両側に水平軸を設けて軸心を中心に重力で回転可能な捕獲用容器を構成し、いずれかの一方を捕獲目的の動物が入る入り口として、その他方の端部には格子を設けて、左右側面のほぼ中央部に近い位置に突設してある前記の水平軸を起立させた支柱上に回転可能に軸支して、水平状態に置かれている捕獲用容器の中に餌を置いて動物を誘引し、動物が容器の中に入ると重力を利用してその水平軸を中心にして前方に回転させて穴の中に垂直に起立した容器の中に動物を捕獲することを特徴とする動物捕獲器。
【請求項２】
請求項１に記載の捕獲用容器は筒体又は箱体の側面並びに平面の適宜な位置に見通し穴を有することを特徴とする動物捕獲器。
【請求項３】
請求項１に記載の捕獲用容器は金属製若しくはプラスチック製若しくは木製のいずれか１の素材で構成される筒体であることを特徴とする動物捕獲器。
【請求項４】
請求項１に記載の捕獲用容器は金属製若しくはプラスチック製若しくは木製のいずれか１の素材で構成される箱体であることを特徴とする動物捕獲器。
【請求項５】
請求項１に記載の捕獲用容器の水平軸は地上若しくは台板上に起立させた支柱上に軸支されることを特徴とする動物捕獲器。
【請求項６】
請求項１に記載の捕獲用容器の入り口に蓋体を取付け取り外し可能にしたことを特徴とする動物捕獲器。
【発明の詳細な説明】
【技術分野】
【０００１】
本発明は、野生猪など哺乳動物の捕獲後に処理が安全な動物捕獲器に関するものである。
【背景技術】
【０００２】
野生動物の捕獲用器具の中で、動物を檻の中に誘引して生きたまま無傷で捕獲する装置とワイヤーを用いたくくり罠あるいはトラばさみで動物の脚を捕捉して捕獲する装置などが知られている。動物捕獲の檻（特許文献５特開２００１−１２８６１０号公報、特許文献７特開２００４−３２１０３９号公報）は、金属製の檻の形状も大きく、重量があり運搬やそれを設置するのに多大な労力を要し、購入費用が高くなるので、調査、防御、生きたまま野性に返すというような特別な用途の場合に用いられているのみである。狩猟用として一般的には、罠が用いられており（特許文献１実用新案登録第３１０１２２５号公報、特許文献６特開２００１−１１２３９９号公報、特許文献７特開２００２−６５１３９号公報）、これは設置するのに軽便で購入費用が安いワイヤーによるくくり罠やトラ鋏が主流である。これらの道具は狩猟用のものであるから捕獲した野生動物を食料にする目的で頻繁に使用される。用途も、猪、野うさぎ、狐、狸などの狩に用いられるものの多くはこの類のものである。
一般的で最も実用性がある罠は、狩猟用として設置されるワイヤー、やトラ鋏などで、軽量で収納運搬に適し、設置や撤去が容易なものである。
【０００３】
しかし、動物捕獲のために設置した罠も、人の脚を捕捉する危険性があり、動物の脚を捕捉し脚に傷害を負わせたり、動物が動き回るために危険性があるので、人の安全面を十分に確保できないという欠点があった。
【０００４】
又、これらの罠は脚を捕捉するのみで捕捉された動物は危険性があるというので捕獲後に動き回る動物を安全に処理する問題がある。又動物の脚に傷を負わせる欠点があるので、捕獲した動物を野生に戻したり、調査目的や動物園で飼育するような防御のための捕獲には使用できないという問題がある。
【０００５】
この改善策として、本発明の動物捕獲器は、動物の脚を捕捉することがなく、簡単な構造の捕獲用容器の中に動物を餌で誘引して重力を利用して回転させて容器ごと捕獲する装置を提案されているものである。
【特許文献１】実用新案登録第３１０１２２５号公報
【特許文献２】実用新案登録第３０６８８４６号公報
【特許文献３】実開平０６−３８５５７号公報
【特許文献４】実開平０５−３４８７９号公報
【特許文献５】特開２００１−１２８６１０号公報
【特許文献６】特開２００１−１１２３９９号公報
【特許文献７】特開２００２−６５１３９号公報
【特許文献８】特開２００４−３２１０３９号公報
【発明の開示】
【発明が解決しようとする課題】
【０００６】
解決しようとする問題点は、ワイヤーを用いたくくり罠あるいはトラばさみで動物の脚を捕捉することが主流となっている狩猟用の罠において、ワイヤーあるいはトラばさみで脚を捕捉された動物は動き回って危険であり収納する際の安全性が確保できない点である。
【課題を解決するための手段】
【０００７】
本発明は、捕獲しようとする目的に応じて動物が入る大きさの筒体叉は箱体である捕獲用容器を構成し、いずれかの一方を捕獲目的の動物が入る入り口として、他方には格子を設けて、その容器の左右側面のほぼ中央部に近い位置に水平軸を突設して、この左右水平軸をそれぞれ支柱上に回転可能に軸支して、水平軸を中心に中に置いた餌で誘引された動物の重力で容器が回転して穴の中に起立させて捕獲する。はじめに設置したときは水平状態に置かれている捕獲用容器の中に餌を置いてその中に動物を誘引し、容器の中に入った動物の重力を利用して容器を前方に回転さして垂直に起立させ、動物をその中に捕獲することで、捕獲された動物の動きによる危険性がなく安全に捕獲することを最も主要な特徴とする。
【発明の効果】
【０００８】
本発明の動物捕獲器は、動物捕獲用容器の中に動物を捕獲するため、容器の中に置かれた餌で捕獲目的の動物を誘引して、容器の中に入った動物と容器の重力で容器を起立させて捕獲できるので、動物の動きによる危険性がなく安全に捕獲できるという利点がある。この動物捕獲器は、動物の脚に傷を負わせないので捕獲目的によって、狩猟用としても利用できるほか、或いは動物園で飼育、調査目的などにも捕獲用容器を大きくして本発明の効果を減ずることなく利用することが可能である。
【発明を実施するための最良の形態】
【０００９】
動物捕獲の際の安全性を確保して捕獲するという目的を、運搬と設置が容易な最小の部品点数で、動物の脚を捕捉せずに傷を負わせることなく実現した。
【実施例１】
【００１０】
図１は、本発明装置の１実施例の断面図であって、  図２は、動物捕獲器の捕獲方法を示した側面図、図３は、平面図、図４は、正面図、  図5は、蓋体を捕獲用容器の入り口に取付けた側面図、図６は、捕獲用容器の側面並びに平面に有する穴の一部を示す側面図である。
１は、    捕獲用容器、  ２は、    格子、  ３ａは、    水平軸、  ４ａは、    支柱、  ５ａは、    支柱上部、  ６は、    地上に掘られた穴、  ７は、    台板、  ８は、    餌、  ９は、    蓋体、  １０は、  見通し穴である。
【００１１】
水平軸３ａは支柱上部５ａに軸支されて動物が中に入って重心が水平軸の前方へ移動して、餌８を咥え引っ張る位置に達することによって捕獲用容器１が回転し、回転後は図2に図示したように捕獲用容器１が起立してその中に動物を捕獲することができる。餌を引っ張る動きで軸心の回動が自由になるピンを設けておくと捕獲用容器と動物の重力による作動が確実である。即ち、動物が中に入って餌を引っ張るとピンが外れて動物の重力で水平軸を中心にして捕獲用容器と共に回転して起立する。本発明は水平軸の回動で捕獲用容器を起立させる捕獲の方法にあるので、水平軸に設けた捕獲用容器を下から支えるピンや容器の入り口に設ける蓋体の係止ピンの説明について、図面上では図示を省略する。又、捕獲用容器の軽量化のためや動物が中に置いた餌を見通して恐怖感を与えないためにその容器の底面を除く側面並びに平面の周囲面に見通し穴１０を有するようにしてもよい。見通し穴１０は円形、楕円形、或いは角形であっても良い。穴の形状は特定せず、捕獲目的の動物に比較してそれが捕獲用容器１の中に入っても逃げない程度の適宜な寸法を有するものにする。
【００１２】
地上に掘られた穴６は、周囲に左右の支柱４ａが立てられて捕獲用容器１の水平軸３ａをその支柱上部５ａに軸支して、水平軸３ａを中心に捕獲用容器１が回転してその穴６の中で起立できるようにしたものである。添付した図１乃至６の図面では捕獲用容器１が円筒形に図示されているが、円筒形に限るものではなく捕獲用容器１は箱体であってもよいし、容器が作られる材質も金属製、プラスチック製、木製の容器であっても実用的である。
【００１３】
捕獲用容器１の一方には格子２を設けて、格子は捕獲用容器の端部に固定して、又もう一方の入り口にはピンの着脱で蓋体９を取付けたり取り外したりできるようにした蝶番を設けて、その中に動物が入ったら蓋をしてそこからは外に出られない状態にできる。
【００１４】
又、捕獲用容器の左右の水平軸３ａを軸支する支柱４ａは、地上に打ち込んで設置してもよいし、台板７上に支柱４ａを起立さしてもよい。そのいずれかの支柱上部５ａに水平軸３ａを軸支する。
【００１５】
上記の捕獲用容器１において、図５に示したように、９は入り口に例えば蝶番を設けてこれにピンで取付けられる蓋体である。動物を容器内に捕獲後蓋をすることによってそれがない場合より安全に捕獲後の収容を可能にするものである。又この蓋体は入り口にピンで取り付け、取り外しが容易にできるようにして、蓋体の重みで捕獲用容器の回転が遅くならないように配慮することも必要である。
【００１６】
穴６の周囲に仕掛けられた捕獲用容器１の中に入った動物の位置や捕獲用容器の側面のどの位置に水平軸３ａを設けるかによって回転は微妙であって、作動のタイミングを遅らせることなく回転させるようにすることが望ましい結果を得ることができる。捕獲用容器の作動タイミングを動物が十分に中に入った時点で、回転を始められるように餌を咥えて引っ張った時に同調してピンが倒れるように紐で結び捕獲用容器の下にそれを支えるピンを設けて、動物が中に入ってピンが倒れると同時に重力の作用で捕獲用容器を回転させるように設置することもできる。
【００１７】
図２の実施例は、捕獲用容器の捕獲方法を示しており、模式的に中に捕獲されている動物の状態を図示するものである。この動物を捕獲した時の状態では捕獲用容器１は地上に設けた穴６に起立しているから、動物は逆さまの状態で容器の前面の格子２に顔面を接している状態になる。この場合は、動物の顔面を傷める可能性があるので本発明の捕獲器は狩猟用として利用できる。このような狩猟目的のほか、動物の捕獲目的により動物園で飼育したり、調査目的の場合には捕獲用容器の大きさを動物の大きさよりかなり大きくして、中に捕獲後は動物が体の向きを変えられるように配慮することも必要である。
【産業上の利用可能性】
【００１８】
台板若しくは地上に設けた左右支柱の上部に左右水平軸を軸支し、その中心部に捕獲用容器を取付けることによって、左右の水平軸を中心にして容易に回転ができ、捕獲用容器の内部に動物を捕獲するので危険性がなく猪、その他の哺乳動物を捕獲する用途にも適用できる。
【図面の簡単な説明】
【００１９】
【図１】動物捕獲器の実施方法を示した側面図である。（実施例１）
【図２】動物捕獲器の捕獲方法を示した側面図である。（実施例１）
【図３】動物捕獲器の実施方法を示した平面図である。（実施例１）
【図４】動物捕獲器の実施方法を示した正面図である。（実施例１）
【図５】動物捕獲器の実施方法を示した側面図である。（実施例１で蓋体を入り口に取付けた場合を示す。）
【図６】動物捕獲器の実施方法を示した側面図である。（捕獲用容器の側面並びに平面に有する見通し穴の一部を示す。）
【符号の説明】
【００２０】
１    捕獲用容器
２    格子
３ａ    水平軸
４ａ    支柱
５ｂ    支柱上部
６    穴
７    台板
８    餌
９    蓋体
１０    側面並びに平面の適宜な位置に有する見通し穴
【図１】
2006197839.tif 000003
【図２】
2006197839.tif 000004
【図３】
2006197839.tif 000005
【図４】
2006197839.tif 000006
【図５】
2006197839.tif 000007
【図６】
2006197839.tif 000008